(57)【要約】      （修正有）【課題】検査に時間がかかってもハードコピーを作成するができるプリンタを提供する。【解決手段】プリンターによって、メイン印刷ジョブを受信するステップと、プリンターによって、メイン印刷ジョブに基づいて、第１のハードコピーページ、第２のハードコピーページおよび第３のハードコピーページを生成するステップと、プリンターによって、第１のハードコピーページ上の印刷エラーを検出するステップと、印刷エラーを検出した場合、プリンターによって、第１のハードコピーページを第１の出力位置に送るステップと、プリンターによって、第２のハードコピーページ上に印刷エラーがないことを検出するステップと、印刷エラーがないことを検出した場合、プリンターによって、第２のハードコピーページを第２の出力位置に送るステップと、を含む。【選択図】図２
2018171896.tif 000002
【特許請求の範囲】
【請求項１】
プリンターによって、メイン印刷ジョブを受信するステップと、
前記プリンターによって、前記メイン印刷ジョブに基づいて、第１のハードコピーページ、第２のハードコピーページおよび第３のハードコピーページを生成するステップと、
前記プリンターによって、前記第１のハードコピーページ上の印刷エラーを検出するステップと、
前記印刷エラーを検出した場合、前記プリンターによって、前記第１のハードコピーページを第１の出力位置に送るステップと、
前記プリンターによって、前記第２のハードコピーページ上に印刷エラーがないことを検出するステップと、
印刷エラーがないことを検出した場合、前記プリンターによって、前記第２のハードコピーページを第２の出力位置に送るステップと、
を含む印刷方法。
【請求項２】
前記プリンターによって、前記第３のハードコピーページ上の印刷エラーを検出するステップと、
前記プリンターによって、前記第３のハードコピーページ上の前記印刷エラーと、前記第１のハードコピーページ上の前記印刷エラーとが、異なる位置にあるかを判断するステップと、
前記異なる位置にあると判断した場合、前記プリンターによって、前記第３のハードコピーページを第３の出力位置に送るステップと、
をさらに含む請求項１に記載の方法。
【請求項３】
前記メイン印刷ジョブに基づいて、前記第１のハードコピーページを含む前記第１の出力位置におけるハードコピーページのための切断作業を指定する、第１の補助印刷ジョブを生成するステップと、
前記第１の補助印刷ジョブをページ毎のカッターに送るステップと、
前記メイン印刷ジョブに基づいて、前記第２のハードコピーページを含む前記第２の出力位置におけるハードコピーページのための切断作業を指定する、第２の補助印刷ジョブを生成するステップと、
前記第２の補助印刷ジョブをギロチンカッターに送るステップと、
をさらに含む請求項１または２に記載の方法。
【請求項４】
前記プリンターによって、前記第３のハードコピーページ上の印刷エラーを検出するステップと、
前記プリンターによって、前記第３のハードコピーページを反転させることによって、前記第３のハードコピーページ上の前記印刷エラーを、前記第１のハードコピーページ上の前記印刷エラーと揃えるステップと、
前記第３のハードコピーページ上の前記印刷エラーを揃えた場合、前記プリンターによって、前記第３のハードコピーページを前記第１の出力位置に送るステップと、
をさらに含む請求項１に記載の方法。
【請求項５】
前記メイン印刷ジョブに基づいて、前記第１のハードコピーページおよび前記第３のハードコピーページを含む前記第１の出力位置におけるハードコピーページのための切断作業を指定する、第１の補助印刷ジョブを生成するステップと、
前記メイン印刷ジョブに基づいて、前記第２のハードコピーページを含む前記第２の出力位置におけるハードコピーページのための切断作業を指定する、第２の補助印刷ジョブを生成するステップと、
をさらに含み、
前記メイン印刷ジョブは、Ｎアップ印刷を指定する請求項４に記載の方法。
【請求項６】
前記第１の補助印刷ジョブをギロチンカッターに送るステップと、ここで、前記ギロチンカッターは、前記第１の補助印刷ジョブに基づいて、前記第１のハードコピーページおよび前記第３のハードコピーページを処理し、
前記第２の補助印刷ジョブを前記ギロチンカッターに送るステップと、ここで、前記ギロチンカッターは、前記第２の補助印刷ジョブに基づいて、前記第２のハードコピーページを処理し、
をさらに含む請求項５に記載の方法。
【請求項７】
前記メイン印刷ジョブは、サーバーによって前記プリンターに送信され、前記サーバーは、前記第１の補助印刷ジョブおよび前記第２の補助印刷ジョブを前記プリンターから前記ギロチンカッターに中継する請求項６に記載の方法。
【請求項８】
前記プリンターによって、前記メイン印刷ジョブに基づいて、第４のハードコピーページを生成するステップと、
前記プリンターによって、前記第４のハードコピーページの表裏における複数の印刷エラーを検出するステップと、
前記第４のハードコピーページの表裏における前記複数の印刷エラーを検出した場合、前記プリンターによって、前記第４のハードコピーページを第３の出力位置に送るステップと、
をさらに含み、
前記第１のハードコピーページ上の前記印刷エラーは、前記第１のハードコピーページの表にあり、
前記第３のハードコピーページ上の前記印刷エラーは、前記第３のハードコピーページの裏にあり、
前記メイン印刷ジョブは、両面印刷を指定する請求項４〜７のいずれか一項に記載の方法。
【請求項９】
第１の出力位置と、
第２の出力位置と、
コンピュータープロセッサーと、
を有し、
前記コンピュータープロセッサーは、
メイン印刷ジョブを受信し、
前記メイン印刷ジョブに基づいて、第１のハードコピーページ、第２のハードコピーページおよび第３のハードコピーページを生成し、
前記第１のハードコピーページ上の印刷エラーを検出し、
前記印刷エラーを検出した場合、前記第１のハードコピーページを前記第１の出力位置に送り、
前記第２のハードコピーページ上に印刷エラーがないことを検出し、
印刷エラーがないことを検出した場合、前記第２のハードコピーページを前記第２の出力位置に送るプリンター。
【請求項１０】
前記コンピュータープロセッサーはさらに、
前記第３のハードコピーページ上の印刷エラーを検出し、
前記第３のハードコピーページ上の前記印刷エラーと、前記第１のハードコピーページ上の前記印刷エラーとが、異なる位置にあるかを判断し、
前記異なる位置にあると判断した場合、前記第３のハードコピーページを第３の出力位置に送る請求項９に記載のプリンター。
【請求項１１】
前記コンピュータープロセッサーはさらに、
前記第３のハードコピーページ上の印刷エラーを検出し、
前記第３のハードコピーページを反転させることによって、前記第３のハードコピーページ上の前記印刷エラーを、前記第１のハードコピーページ上の前記印刷エラーと揃え、
前記第３のハードコピーページ上の前記印刷エラーを揃えた場合、前記第３のハードコピーページを前記第１の出力位置に送る請求項９に記載のプリンター。
【請求項１２】
前記コンピュータープロセッサーはさらに、
前記メイン印刷ジョブに基づいて、前記第１のハードコピーページおよび前記第３のハードコピーページを含む前記第１の出力位置におけるハードコピーページのための切断作業を指定する、第１の補助印刷ジョブを生成し、
前記メイン印刷ジョブに基づいて、前記第２のハードコピーページを含む前記第２の出力位置におけるハードコピーページのための切断作業を指定する、第２の補助印刷ジョブを生成し、
前記メイン印刷ジョブは、Ｎアップ印刷を指定する請求項１１に記載のプリンター。
【請求項１３】
前記コンピュータープロセッサーはさらに、
前記第１の補助印刷ジョブをギロチンカッターに送り、ここで、前記ギロチンカッターは、前記第１の補助印刷ジョブに基づいて、前記第１のハードコピーページおよび前記第３のハードコピーページを処理し、
前記第２の補助印刷ジョブを前記ギロチンカッターに送り、ここで、前記ギロチンカッターは、前記第２の補助印刷ジョブに基づいて、前記第２のハードコピーページを処理する請求項１２に記載のプリンター。
【請求項１４】
前記メイン印刷ジョブは、サーバーから受信され、前記サーバーは、前記第１の補助印刷ジョブおよび前記第２の補助印刷ジョブを前記プリンターから前記ギロチンカッターに中継する請求項１３に記載のプリンター。
【請求項１５】
前記コンピュータープロセッサーはさらに、
前記メイン印刷ジョブに基づいて、第４のハードコピーページを生成し、
前記第４のハードコピーページの表裏における複数の印刷エラーを検出し、
前記第４のハードコピーページの表裏における前記複数の印刷エラーを検出した場合、前記第４のハードコピーページを第３の出力位置に送り、
前記第１のハードコピーページ上の前記印刷エラーは、前記第１のハードコピーページの表にあり、
前記第３のハードコピーページ上の前記印刷エラーは、前記第３のハードコピーページの裏にあり、
前記メイン印刷ジョブは、両面印刷を指定する請求項１１〜１４のいずれか一項に記載のプリンター。
【請求項１６】
プリンターのコンピュータープロセッサーによって実行されるコンピュータープログラムであって、
メイン印刷ジョブを受信するステップと、
前記メイン印刷ジョブに基づいて、第１のハードコピーページ、第２のハードコピーページおよび第３のハードコピーページを生成するステップと、
前記第１のハードコピーページ上の印刷エラーを検出するステップと、
前記印刷エラーを検出した場合、前記第１のハードコピーページを第１の出力位置に送るステップと、
前記第２のハードコピーページ上に印刷エラーがないことを検出するステップと、
印刷エラーがないことを検出した場合、前記第２のハードコピーページを第２の出力位置に送るステップと、
を前記プリンターに実行させるためのコンピュータープログラム。
【請求項１７】
前記第３のハードコピーページ上の印刷エラーを検出するステップと、
前記第３のハードコピーページを反転させることによって、前記第３のハードコピーページ上の前記印刷エラーを、前記第１のハードコピーページ上の前記印刷エラーと揃えるステップと、
前記第３のハードコピーページ上の前記印刷エラーを揃えた場合、前記第３のハードコピーページを前記第１の出力位置に送るステップと、
をさらに含む、前記プリンターの前記コンピュータープロセッサーによって実行される請求項１６に記載のコンピュータープログラム。
【請求項１８】
前記メイン印刷ジョブに基づいて、前記第１のハードコピーページおよび前記第３のハードコピーページを含む前記第１の出力位置におけるハードコピーページのための切断作業を指定する、第１の補助印刷ジョブを生成するステップと、
前記メイン印刷ジョブに基づいて、前記第２のハードコピーページを含む前記第２の出力位置におけるハードコピーページのための切断作業を指定する、第２の補助印刷ジョブを生成するステップと、
をさらに含み、
前記メイン印刷ジョブは、Ｎアップ印刷を指定する、前記プリンターの前記コンピュータープロセッサーによって実行される請求項１７に記載のコンピュータープログラム。
【請求項１９】
前記第１の補助印刷ジョブをギロチンカッターに送るステップと、ここで、前記ギロチンカッターは、前記第１の補助印刷ジョブに基づいて、前記第１のハードコピーページおよび前記第３のハードコピーページを処理し、
前記第２の補助印刷ジョブを前記ギロチンカッターに送るステップと、ここで、前記ギロチンカッターは、前記第２の補助印刷ジョブに基づいて、前記第２のハードコピーページを処理し、
をさらに含む、前記プリンターの前記コンピュータープロセッサーによって実行される請求項１８に記載のコンピュータープログラム。
【請求項２０】
前記メイン印刷ジョブは、サーバーから受信され、前記サーバーは、前記第１の補助印刷ジョブおよび前記第２の補助印刷ジョブを前記プリンターから前記ギロチンカッターに中継する請求項１９に記載のコンピュータープログラム。
【請求項２１】
前記メイン印刷ジョブに基づいて、第４のハードコピーページを生成するステップと、
前記第４のハードコピーページの表裏における複数の印刷エラーを検出するステップと、
前記第４のハードコピーページの表裏における前記複数の印刷エラーを検出した場合、前記第４のハードコピーページを第３の出力位置に送るステップと、
をさらに含み、
前記第１のハードコピーページ上の前記印刷エラーは、前記第１のハードコピーページの表にあり、
前記第３のハードコピーページ上の前記印刷エラーは、前記第３のハードコピーページの裏にあり、
前記メイン印刷ジョブは、両面印刷を指定する、前記プリンターの前記コンピュータープロセッサーによって実行される請求項１７〜２０のいずれか一項に記載のコンピュータープログラム。
【請求項２２】
請求項１６〜２１のいずれか一項に記載のコンピュータープログラムを格納した、非一時的なコンピューター読み取り可能な記録媒体。
【発明の詳細な説明】
【技術分野】
【０００１】
本発明は、印刷方法、プリンター、コンピュータープログラム、およびコンピューター読み取り可能な記録媒体に関する。
【背景技術】
【０００２】
印刷ジョブチケットは、印刷されるコンテンツ（たとえば、テキスト、クリップアート、写真等）と、当該コンテンツを印刷および／または処理するための指示（ｉｎｓｔｒｕｃｔｉｏｎ）とを含む。これらの指示は、たとえば、コピーの枚数、Ｎアップ印刷、両面印刷（すなわち、二面印刷）、切断指示、パッケージ指示等に対応しうる。
【発明の概要】
【発明が解決しようとする課題】
【０００３】
プリンターは機械装置であるため、印刷エラー（ｐｒｉｎｔｅｄ  ｅｒｒｏｒ）（たとえば、汚れ、染み、変色、インクにじみ等）が、印刷されたページ（すなわち、ハードコピーページ）上に存在する可能性がある。複数のハードコピーページが印刷された場合、オペレーターは、印刷エラーについてハードコピーページの各々を検査しなければならない。これには、時間がかかる。それでもなお、ユーザーは、ハードコピー文書を生成したいと考えている。
【課題を解決するための手段】
【０００４】
概して、一態様では、本発明は印刷方法に関する。当該方法は、プリンターによって、メイン印刷ジョブを受信するステップと、前記プリンターによって、前記メイン印刷ジョブに基づいて、第１のハードコピーページ、第２のハードコピーページおよび第３のハードコピーページを生成するステップと、前記プリンターによって、前記第１のハードコピーページ上の印刷エラーを検出するステップと、前記印刷エラーを検出した場合、前記プリンターによって、前記第１のハードコピーページを第１の出力位置に送るステップと、前記プリンターによって、前記第２のハードコピーページ上に印刷エラーがないことを検出するステップと、印刷エラーがないことを検出した場合、前記プリンターによって、前記第２のハードコピーページを第２の出力位置に送るステップと、を含む。
【０００５】
概して、一態様では、本発明はプリンターに関する。当該プリンターは、第１の出力位置と、第２の出力位置と、コンピュータープロセッサーと、を有し、前記コンピュータープロセッサーは、メイン印刷ジョブを受信し、前記メイン印刷ジョブに基づいて、第１のハードコピーページ、第２のハードコピーページおよび第３のハードコピーページを生成し、前記第１のハードコピーページ上の印刷エラーを検出し、前記印刷エラーを検出した場合、前記第１のハードコピーページを前記第１の出力位置に送り、前記第２のハードコピーページ上に印刷エラーがないことを検出し、印刷エラーがないことを検出した場合、前記第２のハードコピーページを前記第２の出力位置に送る。
【０００６】
概して、一態様では、本発明はコンピュータープログラム、および当該コンピュータープログラムを格納する非一時的なコンピューター読み取り可能な記録媒体（ＣＲＭ）に関する。プリンターのコンピュータープロセッサーによって実行された場合、当該コンピュータープログラムは、メイン印刷ジョブを受信するステップと、前記メイン印刷ジョブに基づいて、第１のハードコピーページ、第２のハードコピーページおよび第３のハードコピーページを生成するステップと、前記第１のハードコピーページ上の印刷エラーを検出するステップと、前記印刷エラーを検出した場合、前記第１のハードコピーページを第１の出力位置に送るステップと、前記第２のハードコピーページ上に印刷エラーがないことを検出するステップと、印刷エラーがないことを検出した場合、前記第２のハードコピーページを第２の出力位置に送るステップと、を前記プリンターに実行させる。
【０００７】
本発明の他の態様は、以下の説明および添付した特許請求の範囲から明らかになるであろう。
【図面の簡単な説明】
【０００８】
【図１】本発明の一つ以上の実施形態に係るシステムを示す図である。
【図２】本発明の一つ以上の実施形態に係るフローチャートを示す図である。
【図３Ａ】本発明の一つ以上の実施形態に係る実施例を示す図である。
【図３Ｂ】本発明の一つ以上の実施形態に係る実施例を示す図である。
【図３Ｃ】本発明の一つ以上の実施形態に係る実施例を示す図である。
【図４】本発明の一つ以上の実施形態に係るコンピューターシステムを示す図である。
【発明を実施するための形態】
【０００９】
添付した図面を参照し、本発明の具体的な実施形態について詳細に説明する。異なる図面における同様の要素は、整合性のため、同様の参照番号によって示される。
【００１０】
本発明の実施形態の以下の詳細な説明には、本発明のより完全な理解を提供するために、多くの具体的な詳細が記載されている。しかし、当業者には、これらの具体的な詳細がなくても、本発明が実施可能であることが明らかであろう。その他、説明が不必要に複雑になることを避けるために、よく知られた構成を詳細には説明しない。
【００１１】
概して、本発明の実施形態は、プリンター、印刷方法、ならびに印刷の指示を格納するコンピュータープログラムおよび非一時的なコンピューター読み取り可能な記録媒体（ＣＲＭ）を提供する。具体的には、プリンターは、メイン印刷ジョブを受信し、当該メイン印刷ジョブに基づいてハードコピーページを生成する。また、プリンターは、印刷エラーについて、各ハードコピーページをスキャンする。印刷エラーを有しないハードコピーページが、ある出力位置（たとえば、スロット、トレイ、ビン等）に送られる一方、印刷エラーを有するハードコピーページは、異なる出力位置（たとえば、スロット、トレイ、ビン等）に送られる。それに加えて、またはその代わりに、異なる位置に印刷エラーを有するハードコピーページは、異なる出力位置に送られてもよい。一つ以上の実施形態では、印刷エラーを有するハードコピーページは、当該印刷エラーを異なるハードコピーページの印刷エラーと揃えるために、反転（ｆｌｉｐ）させられてもよく、両方のハードコピーページが、同じ出力位置（たとえば、スロット、トレイ、ビン等）に送られてもよい。
【００１２】
概して、一つ以上の実施形態では、プリンターは、メイン印刷ジョブに基づいて、複数の補助印刷ジョブも生成する。たとえば、各出力位置（たとえば、スロット、トレイ、ビン等）について、一つの補助印刷ジョブが存在してもよい。補助印刷ジョブは、出力位置のうちの一つに送られたハードコピーページについての切断指示および／またはパッケージ指示を含んでもよい。補助印刷ジョブは、一つ以上のカッターに送られ、ハードコピーページを処理するために使用される。
【００１３】
図１は、本発明の一つ以上の実施形態に係るシステム（１００）を示す図である。図１に示すように、システム（１００）は、サーバー（１０４）、一つ以上のプリンター（たとえば、プリンターＡ（１１０Ａ）、プリンターＢ（１１０Ｂ））、および一つ以上のカッター（たとえば、カッターＸ（１２０Ｘ）、カッターＹ（１２０Ｙ））を含む、複数の構成要素を備える。構成要素（１０４、１１０Ａ、１１０Ｂ、１２０Ｘ、１２０Ｙ）は、有線および／または無線のセグメントを有する任意のサイズの一つ以上のネットワークによって、接続されてもよい。
【００１４】
本発明の一つ以上の実施形態では、システム（１００）は、サーバー（１０４）を含む。サーバー（１０４）は、複数のクライアント装置（図示せず）に接続されてもよい。サーバー（１０４）は、メイン印刷ジョブを発行するように構成される。たとえば、メイン印刷ジョブは、クライアント（図示せず）のリクエストに応じて、サーバー（１０４）によって発行されてもよい。メイン印刷ジョブは、印刷されるコンテンツ（たとえば、テキスト、クリップアート、写真等）を指定する。また、メイン印刷ジョブは、当該コンテンツを印刷するための指示を指定する。たとえば、メイン印刷ジョブは、白黒印刷またはカラー印刷、ステープル、穴開け等を指定してもよい。別の例として、メイン印刷ジョブは、二面印刷（すなわち、両面印刷）を指定してもよい。別の例として、メイン印刷ジョブは、２アップ、４アップ、６アップ等の印刷を指定してもよい。一つ以上の実施形態では、メイン印刷ジョブは、切断指示を指定してもよい。たとえば、Ｎアップ印刷の場合、メイン印刷ジョブは、ハードコピーページがＮ個の部分に切断線の位置で切断されることを指定してもよい。
【００１５】
本発明の一つ以上の実施形態では、システム（１００）は、一つ以上のプリンター（１１０Ａ、１１０Ｂ）を含む。各プリンター（１１０Ａ、１１０Ｂ）は、メイン印刷ジョブを受信し、当該メイン印刷ジョブに基づいてハードコピーページを生成するように構成される。図１に示すように、プリンター（１１０Ａ）は、インラインセンサー（１１４）を含む。インラインセンサー（１１４）は、プリンターの用紙経路に組み込まれ、ハードコピーページにおける印刷エラーをページ毎に探す（すなわち、検出する）イメージセンサーである。印刷エラーの例としては、汚れ、染み、変色、インクにじみ等が挙げられる。また、プリンターＡ（１１０Ａ）は、反転部（１１２）を含む。反転部（１１２）は、ハードコピーページを（たとえば、横軸に沿って、縦軸に沿って、横軸および縦軸の両方に沿って、等）反転させるように構成される（以下に述べる）。一つ以上の実施形態では、プリンターＢ（１１０Ｂ）は、プリンターＡ（１１０Ａ）と同じ、または実質的に同じ機能／構成要素を有する。
【００１６】
本発明の一つ以上の実施形態では、各プリンター（１１０Ａ、１１０Ｂ）は、複数の出力位置（たとえば、スロット、トレイ、ビン等）を含む。プリンターＡ（１１０Ａ）は、印刷エラーを有しない全てのハードコピーページを、ある出力位置に送ってもよい。プリンターＡ（１１０Ａ）は、少なくとも一つの印刷エラーを有する全てのハードコピーページを、異なる出力位置に送ってもよい。それに加えて、またはその代わりに、プリンターＡ（１１０Ａ）は、印刷エラーを有するハードコピーページを、印刷エラーの位置によって、異なる出力位置に送ってもよい。
【００１７】
たとえば、両面印刷の場合、プリンターＡ（１１０Ａ）は、印刷エラーを有しない全てのハードコピーページをトレイ１に送り、表面に印刷エラーを有する全てのハードコピーページをトレイ２に送り、裏面に印刷エラーを有する全てのハードコピーページをトレイ３に送り、両面に印刷エラーを有する全てのハードコピーページをトレイ４に送ってもよい。それに加えて、またはその代わりに、その裏面に印刷エラーを有するハードコピーページは、反転させられてから（すなわち、印刷エラーが表面になってから）、トレイ２に送られてもよい（すなわち、トレイ３は不要である）。それに加えて、またはその代わりに、その表面に印刷エラーを有するハードコピーページは、反転させられてから（すなわち、印刷エラーが裏面になってから）、トレイ３に送られてもよい（すなわち、トレイ２は不要である）。
【００１８】
別の例として、Ｎアップ印刷の場合、ハードコピーページ上に、印刷エラーが存在しうるＮ個の位置がある。プリンターＡ（１１０Ａ）は、印刷エラーを位置１に有する全てのハードコピーページをトレイ１に、印刷エラーを位置２に有する全てのハードコピーページをトレイ２に、…印刷エラーを位置Ｎに有する全てのハードコピーページをトレイＮに、印刷エラーを有しない全てのハードコピーページをトレイＮ＋１に送ってもよい。それに加えて、またはその代わりに、プリンターＡ（１１０Ａ）は、いくつかのハードコピーページ（たとえば、ハードコピーページのセットＭ）を反転させ、当該ハードコピーページ上の印刷エラーを、他のハードコピーページ（たとえば、のハードコピーページのセットＮ）上の印刷エラーと揃えてもよい。セットＭおよびセットＮのハードコピーページは、同じトレイに送られてもよい。このことは、必要なトレイの数を減少させる。
【００１９】
本発明の一つ以上の実施形態では、プリンターＡ（１１０Ａ）は、メイン印刷ジョブに基づいて、補助印刷ジョブを生成する。具体的には、プリンターＡ（１１０Ａ）は、各出力位置について、補助印刷ジョブを生成してもよい。出力位置に関連付けられた補助印刷ジョブは、当該出力位置に送られたページ数を指定してもよい。本発明の一つ以上の実施形態では、出力位置に送られる、元の向きまたは反転後のいずれかの全てのハードコピーページは、同じ位置に印刷エラーを有する。したがって、補助印刷ジョブは、出力位置に送られたハードコピーページ上の印刷エラーの位置も指定してもよい。また、補助印刷ジョブは、メイン印刷ジョブに存在した切断指示および／またはパッケージ指示を指定してもよい。補助印刷ジョブは、一つ以上のカッター（１２０Ｘ、１２０Ｙ）に送られる。補助印刷ジョブは、カッターに直接送られてもよいし、サーバー（１０４）を介して送られてもよい（すなわち、サーバー（１０４）が、プリンター（１１０Ａ、１１０Ｂ）からの補助印刷ジョブを、一つ以上のカッター（１２０Ｘ、１２０Ｙ）に中継する）。本発明の一つ以上の実施形態では、サーバー（１０４）は、プリンターＡ（１１０Ａ）によって提供される、ページカウントおよび印刷エラーの位置に基づいて、補助印刷ジョブを生成する。一つ以上の実施形態では、補助印刷ジョブは、印刷されたコンテンツを指定しない（すなわち、メイン印刷ジョブのみが、印刷されるコンテンツを指定する）。
【００２０】
この詳細な説明の利益を享受する当業者には、一つのプリンターの出力位置（たとえば、トレイＲ）が印刷エラーを有しないハードコピーページを保持する場合、別のプリンターの出力位置（たとえば、トレイＳ）が印刷エラーを有するハードコピーページを保持し、プリンターのオペレーターは、トレイＳにおけるハードコピーページを分類するだけでよいことが明らかであろう。
【００２１】
本発明の一つ以上の実施形態では、システム（１００）は、一つ以上のカッター（すなわち、カッターＸ（１２０Ｘ）、カッターＹ（１２０Ｙ））を含む。各カッター（１２０Ｘ、１２０Ｙ）は、ギロチンカッターまたはページ毎のカッター（ｐａｇｅ−ｂｙ−ｐａｇｅ  ｃｕｔｔｅｒ）であってもよい。各カッター（１２０Ｘ、１２０Ｙ）は、補助印刷ジョブを投入してもよい。また、オペレーターは、プリンターの出力位置（たとえば、トレイ、スロット、ビン等）からカッター（１２０Ｘ、１２０Ｙ）に、ハードコピーページを運んでもよい。各カッター（１２０Ｘ、１２０Ｙ）は、補助印刷ジョブに応じて、ハードコピーページを切断するように構成されてもよい。さらに、各カッター（１２０Ｘ、１２０Ｙ）は、印刷エラーを有するハードコピーページの切断部分を廃棄し、および／または、印刷エラーを有しないハードコピーページの切断部分をパッケージ化するように構成されてもよい。
【００２２】
この詳細な説明の利益を享受する当業者には、ハードコピーページが印刷エラーの位置によって分類される場合、ハードコピーページがページ毎に切断される必要はないことが明らかであろう。言い換えれば、ハードコピーページは全て、同じ位置に印刷エラーを有する（または、反転した結果、同じ位置に印刷エラーを有する）ため、ハードコピーページは、ギロチンカッターを使用して、まとめて切断されうる。このことも、プリンターのオペレーターによる分類の時間を減少させる。
【００２３】
図２は、本発明の一つ以上の実施形態に係るフローチャートを示す。フローチャートは、印刷のための処理を示す。図２におけるステップの一つ以上は、図１を参照して上述した、システム（１００）（たとえば、プリンターＡ（１１０Ａ））の構成要素によって実行されてもよい。本発明の一つ以上の実施形態では、図２に示すステップの一つ以上は、省略され、繰り返され、および／または、図２に示す順序とは異なる順序で実行されてもよい。したがって、本発明の範囲は、図２に示すステップの具体的な配置に限定されるとみなされるべきではない。
【００２４】
まず、メイン印刷ジョブが取得される（ステップ２０５）。メイン印刷ジョブは、サーバーによって発行され、プリンターによって受信されてもよい。メイン印刷ジョブは、ウェブサイトからダウンロードされ、および／または、保存場所から読み出されてもよい。メイン印刷ジョブは、印刷されるコンテンツ（たとえば、テキスト、クリップアート、写真等）を指定する。また、メイン印刷ジョブは、コンテンツを印刷するための指示を含む。たとえば、メイン印刷ジョブは、両面印刷またはＮアップ印刷を指定してもよい。メイン印刷ジョブは、電子文書（たとえば、ワープロ文書、スプレッドシート、スライドショー、ウェブページ等）に対応してもよい。また、メイン印刷ジョブは、カラー印刷、紙種（たとえば、サイズ、重さ等）を指定してもよい。
【００２５】
ステップ２１０では、メイン印刷ジョブに基づいて、ハードコピーページが印刷される。メイン印刷ジョブが両面印刷を指定する場合、コンテンツが、一つ以上のハードコピーページの両面（すなわち、表面、裏面）に印刷される。メイン印刷ジョブがＮアップ印刷を指定する場合、各ハードコピーページは、Ｎ個の領域に分割されてもよい。同じコンテンツが、Ｎ個の領域の各々に印刷されてもよい。たとえば、同じ名刺が、単一のハードコピーページ上にＮ回複製されてもよい。それに加えて、またはその代わりに、電子文書からのＮ枚の異なるページが、Ｎ個の領域に印刷されてもよい。
【００２６】
ステップ２１５では、ハードコピーページの一つ以上において、印刷エラーが検出される。印刷エラーは、汚れ、染み、変色、インクにじみ等に対応してもよい。印刷エラーは、ハードコピーページをスキャンすることによって検出されてもよい。たとえば、印刷エラーは、プリンターのインラインセンサーによって検出されてもよい。両面印刷の場合、印刷エラーは、ハードコピーページの表面、裏面または両面に現れうる。Ｎアップ印刷の場合、印刷エラーは、ハードコピーページ上のＮ個の領域のいずれかに発生しうる。
【００２７】
ステップ２２０では、ハードコピーページの一つ以上が（たとえば、横軸に沿って、および／または、縦軸に沿って）反転させられてもよい。ハードコピーページを反転させることによって、ハードコピーページ上の印刷エラーは、他のハードコピーページ上の印刷エラーと揃えられてもよい。たとえば、各々が左上の角に印刷エラーを有する、ハードコピーページのセットが存在すると仮定する。さらに、ページの右下の角に印刷エラーを有する、ハードコピーページＱが存在すると仮定する。ハードコピーページＱを横軸および縦軸に沿って反転させることによって、ハードコピーページＱ上の印刷エラーは、ハードコピーページのセット上の印刷エラーと揃うことになる。
【００２８】
別の例として、ハードコピーページの表面に印刷エラーを有する、ハードコピーページのセットが存在すると仮定する。さらに、その裏面に印刷エラーを有する、ハードコピーページＷが存在すると仮定する。ハードコピーページＷを反転させることによって、印刷エラーは表面になり、ハードコピーページのセット上の印刷エラーと揃うことになる。一つ以上の実施形態では、ステップ２２０は任意であり、プリンターに備わる出力位置の数に依存する。
【００２９】
ステップ２２５では、ハードコピーページが出力位置（たとえば、トレイ、スロット、ビン等）に送られる。印刷エラーを有しないハードコピーページが、ある出力位置に送られる一方、印刷エラーを有するハードコピーページは、異なる出力位置に送られる。その代わりに、またはそれに加えて、たとえば、元々印刷された、または反転後のいずれかにおいて、第１の位置に印刷エラーを有する全てのハードコピーページが、第１の出力位置に送られる一方、元々印刷された、または反転後のいずれかにおいて、第２の位置に印刷エラーを有する全てのハードコピーページは、第２の出力位置に送られる。たとえば、表面に印刷エラーを有する全てのハードコピーページ、または、裏面に印刷エラーを有し、反転させられたハードコピーページは、同じトレイに送られてもよい。同様に、左上の角に印刷エラーを有する全てのハードコピーページ、または、右下の角に印刷エラーを有し、反転させられたハードコピーページは、同じトレイに送られてもよい。
【００３０】
ステップ２３０では、メイン印刷ジョブに基づいて、一つ以上の補助印刷ジョブが生成される。さらに、各出力位置について、一つの補助印刷ジョブが生成されてもよい。たとえば、印刷エラーを有しない全てのハードコピーページがトレイ１に送られ、少なくとも一つの印刷エラーを有する全てのハードコピーページがトレイ２に送られる場合、トレイ１について補助印刷ジョブが生成され、トレイ２について補助印刷ジョブが生成される。出力位置に関連付けられた補助印刷ジョブは、出力位置に送られたハードコピーページの枚数を指定してもよい。本発明の一つ以上の実施形態では、出力位置に送られる、元の向きまたは反転後のいずれかの全てのハードコピーページは、同じ位置に印刷エラーを有する。したがって、補助印刷ジョブは、出力位置に送られたハードコピーページ上の印刷エラーの位置も指定してもよい。また、補助印刷ジョブは、メイン印刷ジョブに存在した切断指示および／またはパッケージ指示を指定してもよい。一つ以上の実施形態では、補助印刷ジョブは、印刷されたコンテンツを指定しない（すなわち、メイン印刷ジョブのみが、印刷されるコンテンツを指定する）。補助印刷ジョブは、一つ以上のカッターに送られてもよい。補助印刷ジョブは、プリンターによって生成され、カッターに直接送られてもよい（すなわち、サーバーをバイパスする）。それに加えて、またはその代わりに、補助印刷ジョブは、（プリンターによって提供される情報に基づいて）サーバーによって生成され、カッターに送られてもよい。
【００３１】
ステップ２３５では、ハードコピーページが一つ以上のカッターによって処理される。一つ以上の補助印刷ジョブが、一つ以上のカッター（たとえば、ギロチンカッター、ページ毎のカッター等）に送られてもよい。また、プリンターのオペレーターは、出力位置（たとえば、トレイ、スロット、ビン等）からカッターのうちの一つに、ハードコピーページを運んでもよい。各カッターは、補助印刷ジョブに応じて、出力位置からのハードコピーページを切断するように構成されてもよい。さらに、各カッターは、印刷エラーを有するハードコピーページの切断部分を廃棄し、および／または、印刷エラーを有しないハードコピーページの切断部分をパッケージ化するように構成されてもよい。本発明の一つ以上の実施形態では、印刷エラーを有しないハードコピーページのセットが、ギロチンカッターを使用して処理される一方、どこかに印刷エラーを有するハードコピーページのセットは、ページ毎のカッターを使用して処理される。
【００３２】
この詳細な説明の利益を享受する当業者には、プリンターのオペレーターが、印刷エラーを探しながら全てのハードコピーページを分類する必要性がより少ない（すなわち、印刷エラーを有するハードコピーページが、印刷エラーを有しないハードコピーページとは異なる出力位置に送られる）ため、さらに、プリンターのオペレーターが、ページ毎に切断を行う必要性がより少ない（すなわち、同じ位置に印刷エラーを有する全てのハードコピーページが、同じ出力位置に送られ、ギロチンカッターを使用してまとめて切断されてもよい）ため、図２に示す処理が時間を節約することは、明らかであろう。
【００３３】
一つ以上の実施形態では、図２に示す処理は、ページ毎のカッターを使用する場合、一つ以上の利点も提供する。上述したように、異なる位置に印刷エラーを有するハードコピーページは、異なるトレイ、スロット、ビン等に送られてもよい。したがって、プリンターのオペレーターが、トレイからページ毎のカッターにハードコピーページのセットを移動させる場合、プリンターのオペレーターは、セットにおけるハードコピーページの各々における印刷エラーの位置を既に知っており、各ハードコピーページ上の印刷エラーを探す必要なく、ページ毎のカッター上で当該セットを素早く切断し、処理できる。
【００３４】
図３Ａおよび図３Ｂは、本発明の一つ以上の実施形態に係る実施例を示す。図３Ａでは、８アップ印刷を指定するメイン印刷ジョブが存在すると仮定する。メイン印刷ジョブは、各ハードコピーページを８つの部分に切断することを要求する。さらに、メイン印刷ジョブに基づいて、３つのハードコピーページである、ハードコピーページＡ（５０５Ａ）、ハードコピーページＢ（５０５Ｂ）およびハードコピーページＣ（５０５Ｃ）が印刷されると仮定する。図３Ａに示すように、ハードコピーページＡ（５０５Ａ）は、印刷エラーを有しない。しかし、ハードコピーページＢ（５０５Ｂ）は、その左上の角に印刷エラーを有し、ハードコピーページＣ（５０５Ｃ）は、その左下の角に印刷エラーを有する。
【００３５】
ハードコピーページＡ（５０５Ａ）、および印刷エラーを有しない全てのハードコピーページは、プリンターのトレイＸ（５１０Ｘ）に送られる。さらに、トレイＸ（５１０Ｘ）におけるハードコピーページについて、補助印刷ジョブが生成されてもよい。補助印刷ジョブは、トレイＸ（５１０Ｘ）におけるハードコピーページの枚数を指定してもよい。また、補助印刷ジョブは、切断線と、全ての切断部分がパッケージ化されるべきである（すなわち、廃棄されるべき部分がない）こととを指定してもよい。補助印刷ジョブは、ギロチンカッターに送られたり、プリンターのオペレーターが、トレイＸ（５１０Ｘ）におけるハードコピーページを、それらが補助印刷ジョブに応じて切断され、パッケージ化されるギロチンカッターに運んだりする。
【００３６】
ハードコピーページＢ（５０５Ｂ）、および左上の角に印刷エラーを有する全てのハードコピーページは、プリンターのトレイＹ（５１０Ｙ）に送られる。さらに、トレイＹ（５１０Ｙ）におけるハードコピーページについて、補助印刷ジョブが生成されてもよい。補助印刷ジョブは、トレイＹ（５１０Ｙ）に送られるハードコピーページの枚数を指定してもよい。また、補助印刷ジョブは、切断線と、左上の角の部分を除く全ての切断部分がパッケージ化されるべきである（すなわち、左上の部分が廃棄されるべきである）こととを指定してもよい。補助印刷ジョブは、ギロチンカッターに送られたり、プリンターのオペレーターが、トレイＹ（５１０Ｙ）におけるハードコピーページを、それらが補助印刷ジョブに応じて切断され、パッケージ化されるギロチンカッターに運んだりする。
【００３７】
ハードコピーページＣ（５０５Ｃ）、および左下の角に印刷エラーを有する全てのハードコピーページは、プリンターのトレイＺ（５１０Ｚ）に送られる。さらに、トレイＺ（５１０Ｚ）におけるハードコピーページについて、補助印刷ジョブが生成されてもよい。補助印刷ジョブは、トレイＺ（５１０Ｚ）に送られるハードコピーページの枚数を指定してもよい。また、補助印刷ジョブは、切断線と、左下の角の部分を除く全ての切断部分がパッケージ化されるべきである（すなわち、左下の部分が廃棄されるべきである）こととを指定してもよい。補助印刷ジョブは、ギロチンカッターに送られたり、プリンターのオペレーターが、トレイＺ（５１０Ｚ）におけるハードコピーページを、それらが補助印刷ジョブに応じて切断され、パッケージ化されるギロチンカッターに運んだりする。
【００３８】
図３Ｂは、図３Ａと類似している。しかし、図３Ｂでは、ハードコピーページＣ（５９９）が反転させられている。言い換えれば、ハードコピーページＣ（５９９）上の印刷エラーは、ハードコピーページＢ（５０５Ｂ）上の印刷エラーと揃えられている。したがって、反転したハードコピーページＣ（５９９）は、ハードコピーページＢ（５０５Ｂ）と同様に、トレイＹ（５１０Ｙ）に送られ、ハードコピーページＢ（５０５Ｂ）と共に切断／処理されうる。図３Ｂでは、反転によって、追加のトレイは必要ない（すなわち、トレイＺ（５１０Ｚ）は必要ない）。
【００３９】
図３Ｃは、本発明の一つ以上の実施形態に係る実施例を示す。図３Ｃでは、８アップ印刷を指定するメイン印刷ジョブが存在すると仮定する。ハードコピーページＸ（５０５Ｘ）は、メイン印刷ジョブから生成される。ハードコピーページＸ（５０５Ｘ）は、４つの領域である領域Ｍ（５８０Ｍ）、領域Ｎ（５８０Ｎ）、領域Ｐ（５８０Ｐ）および領域Ｑ（５８０Ｑ）に、事実上分割されてもよい。各領域（５８０Ｍ、５８０Ｎ、５８０Ｐ、５８０Ｑ）は、８つの位置（ｓｌｏｔ）のうちの２つに対応する。印刷エラーが領域Ｍ（５８０Ｍ）のどこかに存在する場合、ハードコピーページＸ（５０５Ｘ）はトレイＭに送られる。印刷エラーが領域Ｎ（５８０Ｎ）のどこかに存在する場合、ハードコピーページＸ（５０５Ｘ）はトレイＮに送られる。同様に、印刷エラーが領域Ｐ（５８０Ｐ）のどこかに存在する場合、ハードコピーページＸ（５０５Ｘ）はトレイＰに送られる。印刷エラーが、領域Ｑ（５８０Ｑ）のどこかに存在する場合、ハードコピーページＸ（５０５Ｘ）はトレイＱに送られる。
【００４０】
本発明の様々な実施形態は、インラインスキャナーを使用してハードコピーページ上の印刷エラーを検出でき、ハードコピーページを、印刷エラーを有しないハードコピーページと、印刷エラーを有するハードコピーページとに自動的に分類でき、印刷エラーの位置に基づいて、印刷エラーを有するハードコピーページを自動的に分類でき、印刷エラーを有するハードコピーページを反転させて、当該印刷エラーを他のハードコピーページの印刷エラーと揃え、必要な出力位置（たとえば、トレイ、スロット、ビン等）の数を減少させることができ、出力位置に送られる全てのハードコピーページについて補助印刷ジョブを生成でき、補助印刷ジョブをギロチンカッターに送ったり、出力位置（たとえば、トレイ、スロット、ビン等）からのハードコピーページにバルク処理（たとえば、切断、処理、廃棄等）行ったりできるという利点の、一つ以上を有しうる。
【００４１】
本発明の実施形態は、使用されているプラットフォームに関わらず、実質的にあらゆる種類のコンピューターシステムに実装されてもよい。たとえば、コンピューターシステムは、一つ以上のモバイル機器（たとえば、ラップトップコンピューター、スマートフォン、携帯情報端末、タブレットコンピューターまたは他のモバイル機器）、デスクトップコンピューター、サーバー、サーバーシャーシにおけるブレード、または、本発明の一つ以上の実施形態を実施するための最低限の処理能力、メモリー、ならびに、入力装置および出力装置を少なくとも含む任意の他の種類の一つまたは複数のコンピューター装置であってもよい。たとえば、図４に示すように、コンピューターシステム（４００）は、一つ以上のコンピュータープロセッサー（４０２）、関連するメモリー（４０４）（たとえば、ランダムアクセスメモリー（ＲＡＭ）、キャッシュメモリー、フラッシュメモリー等）、一つ以上の記憶装置（４０６）（たとえば、ハードディスク、コンパクトディスク（ＣＤ）ドライブまたはデジタル多目的ディスク（ＤＶＤ）ドライブ等の光学ドライブ、フラッシュメモリースティック等）、ならびに、多くの他の構成要素および機能を含んでもよい。コンピュータープロセッサー（４０２）は、指示を処理するための集積回路であってもよい。たとえば、コンピュータープロセッサーは、一つ以上のコア、またはプロセッサーのマイクロコアであってもよい。また、コンピューターシステム（４００）は、タッチスクリーン、キーボード、マウス、マイクロホン、タッチパッド、電子ペン、または任意の他の種類の入力装置等の、一つ以上の入力装置（４１０）を含んでもよい。さらに、コンピューターシステム（４００）は、スクリーン（たとえば、液晶ディスプレイ（ＬＣＤ）、プラズマディスプレイ、タッチスクリーン、ブラウン管（ＣＲＴ）モニター、プロジェクター、または他の表示装置）、プリンター、外部ストレージ、または任意の他の出力装置等の、一つ以上の出力装置（４０８）を含んでもよい。出力装置のうちの一つ以上は、入力装置と同じでもよいし、異なってもよい。コンピューターシステム（４００）は、ネットワークインターフェース接続（図示せず）を介して、ネットワーク（４１２）（たとえば、ローカルエリアネットワーク（ＬＡＮ）、インターネット等の広域ネットワーク（ＷＡＮ）、モバイルネットワーク、または任意の他の種類のネットワーク）に接続されてもよい。入力装置および出力装置は、局所的または遠隔的に（たとえば、ネットワーク（４１２）を介して）、コンピュータープロセッサー（４０２）、メモリー（４０４）および記憶装置（４０６）に接続されてもよい。多くの異なる種類のコンピューターシステムがあり、上記の入力装置および出力装置は、他の形態を取ってもよい。
【００４２】
本発明の実施形態を実施するためのコンピューター読み取り可能なプログラムの形態におけるソフトウェア指示は、全体または一部において、一時的または恒久的に、ＣＤ、ＤＶＤ、記憶装置、ディスケット、テープ、フラッシュメモリー、物理メモリー、または任意の他のコンピュータ読み取り可能な記録媒体等の、非一時的なコンピューター読み取り可能な媒体において、記憶されてもよい。具体的には、ソフトウェア指示は、プロセッサーによって実行される際に、本発明の実施形態を実施するように構成される、コンピューター読み取り可能なプログラムに相当してもよい。
【００４３】
また、上記のコンピューターシステム（４００）の一つ以上の構成要素は、遠隔地に位置し、ネットワーク（４１２）を介して、他の構成要素に接続されてもよい。さらに、本発明の一つ以上の実施形態は、複数のノードを有する分散システムにおいて実装されてもよく、本発明の各部は、分散システム内の異なるノードに位置してもよい。本発明の一実施形態では、ノードは、異なるコンピューター装置に相当する。あるいは、ノードは、関連する物理メモリーを有するコンピュータープロセッサーに相当してもよい。あるいは、ノードは、共有されるメモリーおよび／またはリソースを有するコンピュータープロセッサー、または、コンピュータープロセッサーのマイクロコアに相当してもよい。
【００４４】
限定された数の実施形態について、本発明を説明したが、本開示の利益を享受する当業者は、本明細書に開示されるような本発明の範囲から逸脱しない他の実施形態が考案されうることを、理解するであろう。したがって、本発明の範囲は、添付した特許請求の範囲によってのみ限定されるべきである。
【図１】
2018171896.tif 000003
【図２】
2018171896.tif 000004
【図３Ａ】
2018171896.tif 000005
【図３Ｂ】
2018171896.tif 000006
【図３Ｃ】
2018171896.tif 000007
【図４】
2018171896.tif 000008
【外国語明細書】
2018171896000001.pdf
2018171896000002.pdf
2018171896000003.pdf
2018171896000004.pdf